(57)【要約】【課題】【解決手段】無線通信システムにおける電力制御の方法。逆方向リンクにおけるデータフレームの最初の送信が受信され、このデータフレームの第一のエネルギーレベルが測定される。第一のエネルギーレベルが、このデータフレームを正しくデコードするのに十分でないのであれば、その後、第一のエネルギーレベルのエネルギー不足分が測定される。これによって、第一のエネルギーレベルとエネルギー不足分との差に等しい第二のエネルギーレベルを用いてこのデータフレームが再送信されるとき、データフレームは、第一のエネルギーレベルと第二のエネルギーレベルとの結合エネルギーを用いて正しくデコードすることができる。
2006517761.tif 000002
【特許請求の範囲】
【請求項１】
無線通信システムにおける電力制御のための方法であって、
前記通信システムの逆方向リンクにおけるデータフレームの最初の送信を受信することと、
前記データフレームの第一のエネルギーレベルを測定することと、
前記第一のエネルギーレベルが前記データフレームを正しくデコードするのに十分でないのであれば、前記第一のエネルギーレベルにおけるエネルギー不足分を推定することであって、前記データフレームが、前記第一のエネルギーレベルと前記エネルギー不足分との間の差に等しい第二のエネルギーレベルで再送信された時、前記データフレームが、前記第一のエネルギーレベルと前記第二のエネルギーレベルとの結合エネルギーによって正しくデコードされることとを備える。
【請求項２】
請求項１に記載の方法において、前記データフレームの第一のエネルギーレベルを測定することは、前記逆方向リンクにおけるトラフィックチャネルのエネルギーレベルを測定することを含む。
【請求項３】
請求項２に記載の方法において、前記トラフィックチャネルは、前記通信システムの逆方向補足チャネル（Ｒ−ＳＣＨ：reverse supplemental channel）である。
【請求項４】
請求項２に記載の方法において、前記データフレームの第一のエネルギーレベルを測定することはまた、前記逆方向リンクにおけるパイロットチャネルのエネルギーレベルを測定することを含む。
【請求項５】
請求項４に記載の方法において、前記データフレームの第一のエネルギーレベルを測定することは更に、前記トラフィックチャネルのエネルギーレベルと、前記パイロットチャネルのエネルギーレベルとの間の比を計算することを含む。
【請求項６】
請求項１に記載の方法において更に、
前記データフレームを正しくデコードするために十分な合計エネルギーレベルを推定することを備える。
【請求項７】
請求項１に記載の方法において更に、
順方向アクノレッジメントチャネル上で、前記データフレームの受信のために、前記エネルギー不足分を、適切な否定的アクノレッジメントとともに送信することを備える。
【請求項８】
無線通信システムの逆方向リンク上の電力を制御する方法であって、
データフレームのエネルギーレベルと、前記逆方向リンク上で送信されたパイロットチャネルエネルギーとの間の比を計算することと、
もしも前記データフレームがエラーで受信された場合には、エネルギー不足比を推定することであって、前記エネルギー不足比によって、遠隔端末が、前記データフレームのエネルギーレベルを調整できるようになり、前記データフレームのエネルギーレベルが、再送信のエネルギーレベルと結合された時に、前記データフレームが前記再送信において正しくデコードされるようになることとを備える。
【請求項９】
無線通信システムにおける逆方向リンク電力コントローラであって、
前記逆方向リンクにおけるデータフレームの最初の送信を受信する手段と、
前記データフレームの第一のエネルギーレベルを測定する測定手段と、
前記第一のエネルギーレベルが前記データフレームを正しくデコードするのに十分でないのであれば、前記第一のエネルギーレベルにおけるエネルギー不足分を推定する推定手段とを備え、
前記データフレームが、前記第一のエネルギーレベルと前記エネルギー不足分との間の差に等しい第二のエネルギーレベルで再送信された時、前記データフレームが、前記第一のエネルギーレベルと前記第二のエネルギーレベルとの結合エネルギーによって正しくデコードできるようにした。
【請求項１０】
請求項９に記載の電力コントローラにおいて、前記測定手段は、前記逆方向リンクにおけるトラフィックチャネルのエネルギーレベルを測定する手段を含む。
【請求項１１】
請求項１０に記載の電力コントローラにおいて、前記トラフィックチャネルは、前記通信システムの逆方向補足チャネル（Ｒ−ＳＣＨ：reverse supplemental channel）である。
【請求項１２】
請求項１０に記載の電力コントローラにおいて、前記測定手段は、前記逆方向リンクにおけるパイロットチャネルのエネルギーレベルを測定する手段を含む。
【請求項１３】
請求項１２に記載の電力コントローラにおいて、前記測定手段は、前記トラフィックチャネルのエネルギーレベルと、前記パイロットチャネルのエネルギーレベルとの間の比を計算する手段を含む。
【請求項１４】
請求項９に記載の電力コントローラにおいて更に、
前記データフレームを正しくデコードするために十分な合計エネルギーレベルを推定する手段を備える。
【請求項１５】
請求項９に記載の電力コントローラにおいて更に、
順方向アクノレッジメントチャネル上で、前記データフレームの受信のために、前記エネルギー不足分を、適切な否定的アクノレッジメントとともに送信する手段を備える。
【請求項１６】
無線通信システムにおける逆方向リンク電力コントローラであって、
前記通信システムの逆方向リンクにおけるデータフレームの最初の送信を受信するように構成された受信機と、
前記データフレームの第一のエネルギーレベルを測定するように構成された測定装置と、
前記第一のエネルギーレベルが前記データフレームを正しくデコードするのに十分でないのであれば、前記第一のエネルギーレベルにおけるエネルギー不足分を推定するように構成された推定装置とを備え、
前記データフレームが、前記第一のエネルギーレベルと前記エネルギー不足分との間の差に等しい第二のエネルギーレベルで再送信された時、前記データフレームを、前記第一のエネルギーレベルと前記第二のエネルギーレベルとの結合エネルギーによって正しくデコードできるようにした。
【請求項１７】
請求項１６に記載の電力コントローラにおいて、前記測定装置は、前記逆方向リンクにおけるトラフィックチャネルのエネルギーレベルを測定するように構成された第一の測定デバイスを含む。
【請求項１８】
請求項１７に記載の電力コントローラにおいて、前記トラフィックチャネルは、前記通信システムの逆方向補足チャネル（Ｒ−ＳＣＨ：reverse supplemental channel）である。
【請求項１９】
請求項１７に記載の電力コントローラにおいて、前記測定装置はまた、前記逆方向リンクにおけるパイロットチャネルのエネルギーレベルを測定するように構成された第二の測定デバイスを含む。
【請求項２０】
請求項１９に記載の電力コントローラにおいて、前記測定装置は更に、前記トラフィックチャネルのエネルギーレベルと、前記パイロットチャネルのエネルギーレベルとの間の比を計算するように構成された計算デバイスを含む。
【請求項２１】
請求項１６に記載の電力コントローラにおいて更に、
前記データフレームを正しくデコードするために十分な合計エネルギーレベルを推定するように構成された推定器を備える。
【請求項２２】
請求項１６に記載の電力コントローラにおいて更に、
順方向アクノレッジメントチャネル上で、前記データフレームの受信のために、前記エネルギー不足分を、適切な否定的アクノレッジメントとともに送信するように構成された送信機を備える。
【請求項２３】
無線通信システムのための基地局であって、
遠隔端末からの逆方向リンクトラフィックチャネルデータフレームを受信し、適切に増幅し、フィルタし、処理するように構成されたＲＦフロントエンドと、
前記受信されたデータフレームを復調し、更に処理するように適応されたデジタル信号プロセッサと、
電力コントローラとを備え、
前記電力コントローラは、
前記データフレームの第一のエネルギーレベルを測定するように構成された測定装置と、
前記第一のエネルギーレベルが前記データフレームを正しくデコードするのに十分ではないのであれば、前記第一のエネルギーレベルにおけるエネルギー不足分を推定するように構成された推定装置とを含み、前記データフレームが、前記第一のエネルギーレベルと前記エネルギー不足分との間の差に等しい第二のエネルギーレベルで再送信された時、前記データフレームが、前記第一のエネルギーレベルと前記第二のエネルギーレベルとの結合エネルギーによって正しくデコードできるようにする。
【請求項２４】
請求項２３に記載の基地局において、前記測定装置は、前記逆方向リンクにおけるトラフィックチャネルのエネルギーレベルを測定するように構成された第一の測定デバイスを含む。
【請求項２５】
請求項２４に記載の基地局において、前記トラフィックチャネルは、前記通信システムの逆方向補足チャネル（Ｒ−ＳＣＨ：reverse supplemental channel）である。
【請求項２６】
請求項２４に記載の基地局において、前記測定装置はまた、前記逆方向リンクにおけるパイロットチャネルのエネルギーレベルを測定するように構成された第二の測定デバイスを含む。
【請求項２７】
請求項２６に記載の基地局において、前記測定装置は更に、前記トラフィックチャネルのエネルギーレベルと、前記パイロットチャネルのエネルギーレベルとの間の比を計算するように構成された計算デバイスを含む。
【請求項２８】
請求項２３に記載の基地局において更に、
前記データフレームを正しくデコードするために十分な合計エネルギーレベルを推定するように構成された推定器を備える。
【請求項２９】
請求項２３に記載の基地局において更に、
順方向アクノレッジメントチャネル上で、前記データフレームの受信のために、前記エネルギー不足分を、適切な否定的アクノレッジメントとともに送信するように構成された送信機を備える。
【発明の詳細な説明】
【技術分野】
【０００１】
ここで開示された実施例は、一般に、通信分野に関し、更に詳しくは、逆方向リンク上のＨ−ＡＲＱのための修正された電力制御のための方法及び装置に関する。
【背景技術】
【０００２】
通信分野は、例えば、ページング、無線ローカルループ（ＷＬＬ）、インターネットテレフォニー、及び衛星通信システムを含む多くのアプリケーションを持っている。典型的なアプリケーションは、移動加入者のための携帯電話システムである。複数のユーザが共通の通信媒体にアクセスすることを可能にするために設計された現代の通信システムは、このような携帯システムのために開発された。これら通信システムは、符号分割多元接続（ＣＤＭＡ）、時分割多元接続（ＴＤＭＡ）、周波数分割多元接続（ＦＤＭＡ）、又は当該技術分野で知られたその他の多元接続技術に基づいている。これら多元接続技術は、複数ユーザから受信した信号のデコード及び復調を行う。これによって、複数ユーザ間の同時通信を可能とし、通信システムのための比較的大規模な容量が可能となる。
【０００３】
ＣＤＭＡシステムでは、利用可能なスペクトルが、多くのユーザ間で効率的に共有され、例えばソフトハンドオフのような技術が、多くの電力を浪費することなく、（例えば音声のような）遅延に敏感なサービスをサポートするための十分な品質を維持するために適用される。より最近は、データサービスのための能力を高めるシステムもまた利用可能となった。これらシステムは、より高次の変調、より高速な電力制御、より高速なスケジューリング、及びより遅延要求の緩やかなサービスに対するより効率的なスケジューリングを用いることによってデータサービスを提供する。そのようなデータサービス通信システムの例は、Telecommunications Industry Association/Electronic Industries Alliance (TIA/EIA) cdma2000 High Data Rate Air Interface Specification IS-856, 2002年1月 (IS-856規格)に適合する高データレート（ＨＤＲ）システムである。
【０００４】
ＣＤＭＡシステムでは、ソースデバイスから宛先デバイスへのデータ送信が起こる。宛先デバイスはこのデータ送信を受信し、信号を復調し、データをデコードする。デコード処理の一部として、宛先デバイスは、データパケットの巡回冗長コード（ＣＲＣ）チェックを実行し、パケットが正しく受信されたかを判定する。もしもパケットがエラーで受信されたのであれば、宛先デバイスは、アクノレッジメント（ＡＣＫ）チャネル上で、否定的なアクノレッジメント（ＮＡＫ）メッセージをソースデバイスに送信する。ソースデバイスは、エラーで受信されたパケットを再送信することによってＮＡＫメッセージに応答する。
【０００５】
送信エラーは、低ビットエネルギー対ノイズ出力スペクトル密度比（Ｅｂ／Ｎｏ）を持つアプリケーションにおいて特に深刻である。この状況では、例えば自動繰り返し要求（ＡＲＱ：Automatic Repeat Request）のような従来のデータ再送信スキームは、システム動作のために必要とされる最大のビット誤り率（ＢＥＲ：bit error rate）を満足しない（あるいは、満足しないように設計される）かもしれない。そのような場合、性能を向上するために、ＡＲＱスキームを、例えば順方向エラー補正（ＦＥＣ：Forward Error Correction）のようなエラー補正スキームと結合することがしばしば用いられる。このようなＡＲＱとＦＥＣとの結合は、一般にハイブリッドＡＲＱ（Ｈ−ＡＲＱ）として知られている。
【０００６】
ＮＡＫを送信した後、宛先デバイスは、データ送信及び再送信を受信し、信号を復調し、受信したデータを、新たなパケットと、再送信されたパケットとに分離する。新たなパケットと、再送信されたパケットとは、同時に送信される必要はない。宛先デバイスは、受信した再送信パケットのエネルギーを、エラーで受信したパケットについて宛先デバイスによって既に蓄積されたエネルギーとともに蓄積する。その後宛先デバイスは、この蓄積されたデータパケットのデコードを試みる。しかしながら、上述したように、宛先デバイスによる正しいデコードを可能にするに十分ではないエネルギーで最初にパケットフレームが送信され、その後、再送信されるのであれば、この再送信は、時間ダイバーシティを与える。その結果、フレームの合計送信エネルギー（再送信を含む）は、平均して低くなる。フレームの最初の送信と再送信との両方について結合されたシンボルエネルギーは、平均して、フルパワーで最初にフレームを送信するために必要とされるエネルギー（すなわち、宛先デバイスによる正しいデコードが可能となるのにそれ自身で十分なパワーレベル）よりも低い。従って、次に続く再送信によって与えられる追加エネルギーの蓄積が、正しいデコードの確率を高める。あるいは、宛先デバイスは、二つのパケットを結合することなく、再送信されたパケットをそれ自身によってデコードすることができる。何れの場合においても、スループットレートは改善される。なぜなら、エラーで受信されたパケットが、新たなデータパケットの送信と同時に再送信されるからである。また、新たなパケットと、再送信されたパケットとは、同時に送信される必要がないことが言及されるべきである。
【０００７】
逆方向リンク（すなわち、遠隔端末から基地局への通信リンク）では、遠隔端末から基地局へユーザ情報（例えばパケットデータ）を送信し、物理レイヤにおける再送信をサポートするために、逆方向補足チャネル（Ｒ−ＳＣＨ：reverse supplemental channel）が用いられる。Ｒ−ＳＣＨは、再送信のために異なる符号化スキームを利用する。例えば、再送信は、オリジナル送信の１／２の符号レートを使用する。再送信のために、同じレートである１／２符号シンボルが繰り返される。別のケースでは、基調をなすコードは、１／４の符号レートかもしれない。オリジナル送信は、シンボルの１／２を使用し、再送信は、シンボルの他の半分を使用する。逆方向リンクアーキテクチャの例は、"REVERSE LINK CHANNEL ARCHITECTURE FOR A WIRELESS COMMUNICATION SYSTEM"と題され、本発明の譲受人に譲渡されている米国特許出願No.2002/0154610に詳細に記述されている。
【０００８】
ＣＤＭＡ通信システム、及び特にパケット通信のために適応したシステムでは、渋滞と過負荷が、システムのスループットを低減させる。渋滞は、このシステムの定格容量に関する保留及びアクティブなトラフィックの量の指標である。システム過負荷は、保留及びアクティブなトラフィックが定格容量を超えたときに起こる。システムは、割り込みのないトラフィック条件を維持する、すなわち、リソースの過小負荷を過負荷にすることを回避する目標渋滞レベルを与える。
【０００９】
過負荷の一つの問題は、時間遅れのある送信応答が発生することである。応答時間が長くなることは、しばしば、アプリケーションレベルタイムアウトに至る。ここでは、アプリケーションよりも長いデータ待ち時間を必要とするアプリケーションがプログラムされることが許され、タイムアウト条件を生み出す。その後アプリケーションは、タイムアウト時に不必要にメッセージを再送信するので、更なる渋滞を引き起こす。もしもこの条件が続くならば、システムは、どのユーザにもサービスできない条件に達するであろう。この条件に対する一つの解決策（ＨＤＲにおいて使用されている）が、渋滞コントロールである。別の解決策（ｃｄｍａ２０００において使用されている）が、適切なスケジューリングである。
【００１０】
システムにおける渋滞のレベルは、保留及びアクティブなユーザのデータレートと、必要とされるサービス品質を達成するために要求される受信信号強度とを監視することによって決定される。無線ＣＤＭＡシステムでは、逆方向リンク容量は、干渉制限されている。セル渋滞の一つの指標は、基地局における熱ノイズのレベルに対する合計ノイズ量（以下、「熱に対する立ち上がり」（ＲＯＴ：rise over thermal）と称する）である。ＲＯＴは、逆方向リンク負荷と一致する。負荷が与えられたシステムは、ＲＯＴを、予め定めた値の近くに維持するよう試みる。もしもＲＯＴが高すぎるならば、セルの範囲（すなわち、セルの基地局が通信できる距離）が縮小され、逆方向リンクはより不安定になる。目標エネルギーレベルを与えるために必要な送信エネルギーの量が増加することによって、セルの範囲は縮小される。高いＲＯＴはまた、瞬時の負荷における小さな変化を起こす。この結果、遠隔端末の出力電力の大きな偏位が起きる。低いＲＯＴは、逆方向リンクにさほど負荷がかかっていないことを示すことができる。従って、利用可能な容量が、潜在的に浪費されていることを示している。
【００１１】
しかしながら、Ｈ−ＡＲＱとともにＲ−ＳＣＨを動作させることは、Ｒ−ＳＣＨフレームの最初の送信が、ＲＯＴ制約を満足するために、さほどしっかりと電力制御されていないことを必要とする。従って、Ｒ−ＳＣＨフレームの最初の送信において配信された信号対ノイズ比（ＳＮＲ：signal-to-noise ratio）は、受信したデータパケットの正しいデコードを可能にするのに十分なレベル未満となりうる。
【００１２】
従って、上述したように、逆方向リンクにおけるＨ−ＡＲＱのための修正された電力制御を可能にする装置及び方法に対する当該技術分野における必要性があることが明らかなはずである。
【非特許文献１】"3GPP2 Physical Layer Standard for cdma2000 Spread Spectrum Systems," Document No.C.P0002-A, TIA/EIA IS-2000-2-A, １９９９年１１月１９日
【発明の開示】
【００１３】
ここで開示された実施例は、無線通信システム内の逆方向リンクにおけるＨ−ＡＲＱに対する修正された電力制御を可能にする装置及び方法に対する必要性に対処する。
【００１４】
一つの局面では、無線通信システム内の逆方向リンクの電力制御ための方法及び装置が開示される。逆方向リンク内のデータフレームの最初の送信が受信され、このデータフレームの第一のエネルギーレベルが測定される。第一のエネルギーレベルが、データフレームを正しくデコードするために十分でないのであれば、第一のエネルギーレベルにおけるエネルギー不足分が決定される。これによって、第一のエネルギーレベルとエネルギー不足分との間の差に等しい第二のエネルギーレベルを用いてデータフレームが再送信されたとき、第一のエネルギーレベルと第二のエネルギーレベルとの結合エネルギーを用いて、データフレームが正しくデコードされるようになる。
【００１５】
別の局面では、無線通信システムのための基地局が記載される。この基地局は、遠隔端末からの逆方向リンクトラフィックチャネルデータフレームを受信し、適切に増幅し、フィルタし、処理するように構成されたＲＦフロントエンドと、この受信したデータフレームを復調し、更に処理するように適応されたデジタル信号プロセッサ（ＤＳＰ）とを含む。この基地局はまた、エネルギー測定装置と不足分推定装置とを有する電力コントローラを含む。このエネルギー測定装置は、データフレームの第一のエネルギーレベルを測定するように構成されている。第一のエネルギーレベルが、データフレームを正しくデコードするために十分でないのであれば、不足分推定装置は、第一のエネルギーレベル内のエネルギー不足分を推定するように構成されている。これによって、第一のエネルギーレベルとエネルギー不足分との間の差に等しい第２のエネルギーレベルを用いてデータフレームが再送信されたとき、第一のエネルギーレベルと第２のエネルギーレベルとの結合エネルギーを用いてこのデータフレームは正しくデコードされるようになる。
【００１６】
本発明のその他の特徴及び利点は、本発明の原理を一例を用いて説明している以下に示す典型的な実施例の記載から明らかであるべきである。
【発明を実施するための最良の形態】
【００１７】
添付図面と連携して以下に説明する詳細記述は、本発明の典型的実施例の記述として意図されており、本発明が実現可能な唯一の実施例を表すことは意図されていない。この記述全体で使用されている用語「典型的」は、例、インスタンス、又は例示であることを意味しており、他の実施例に対して必ずしも好適に、又は有利に解釈される必要はない。詳細記述は、本発明の完全な理解を与えることを目的とした具体的な詳細を含んでいる。しかしながら、本発明はこれら具体的な詳細がなくても実施されうることは、当該技術分野における熟練者にとって明らかになるであろう。いくつかのインスタンスでは、良く知られた構造及びデバイスが、本発明の概念を曖昧にすることを回避するためにブロック図形式で示されている。
【００１８】
逆方向リンク上のハイブリッド自動繰り返し要求（Ｈ−ＡＲＱ）のための修正された電力制御を可能にする装置及び方法のための上述した必要性の認識において、本開示は、逆方向リンクリソースを効率的に割り当て、利用し、制御するための典型的な実施例を記述する。特に、修正された電力制御は、最初の送信のエネルギー不足分を補償するために、遠隔端末が、再送信において適切なエネルギー量を伝送することを可能にする電力制御コマンドを与える。
【００１９】
本発明の種々の局面が、ＣＤＭＡ通信システムの場面に記載されているが、当該技術分野における熟練者であれば、ここで記載された順方向リンクＡＣＫチャネルの効率的な動作を提供する技術は、ＴＤＭＡ、ＦＤＭＡ、ＳＤＭＡ，ＰＤＭＡ、及び当該技術分野で知られたその他の多元接続技術に基づく通信システムと、ＡＭＰＳ、ＧＳＭ、ＨＤＲ、及び種々のＣＤＭＡ規格、更に当該技術分野で知られたその他の通信規格に基づく通信システムとを含む種々の別の通信環境における使用のためにも同様に適切であることを理解するであろう。従って、ＣＤＭＡ通信システムに対するあらゆる参照は、本発明の発明的な局面が、幅広い範囲のアプリケーションを持っているという理解のもと、本発明の発明的な局面を説明することのみが意図されている。
【００２０】
図１は、多くのユーザをサポートし、本発明の種々の局面を実現することができる典型的な無線通信システム１００の図である。この通信システム１００は、多くのセルのために通信を提供する。各セルは、対応する基地局（ＢＳ）１０４によってサービスされる。様々な遠隔端末１０６が、このシステム１００にわたって分散している。個々の基地局又は遠隔端末は、例えば１０４ａ又は１０６ｃのような添え字によって識別される。添え字の無い１０４又は１０６に対する参照は、一般的な意味における基地局及び遠隔端末を参照するものと理解されよう。
【００２１】
各遠隔端末１０６は、遠隔端末が動作中であるか否か、及びソフトハンドオフであるか否かに基づいて、特定の瞬間において、一つ又は複数の基地局１０４と、順方向リンク及び逆方向リンクで通信する。順方向リンクは、基地局１０４から遠隔端末１０６への送信を称し、逆方向リンクは、遠隔端末１０６から基地局１０４への送信を称する。図１に示すように、基地局１０４ａは、遠隔端末１０６ａ，１０６ｂ，１０６ｃ，１０６ｄと通信し、基地局１０４ｂは、遠隔端末１０６ｄ，１０６ｅ，１０６ｆと通信する。遠隔端末１０６ｄは、ソフトハンドオフ条件にあり、基地局１０４ａと基地局１０４ｂとの両方と同時に通信する。
【００２２】
この無線通信システム１００において、基地局コントローラ（ＢＳＣ）１０２は、基地局１０４と通信し、更に、公衆交換電話網（ＰＳＴＮ：public switched telephone network）と通信する。ＰＳＴＮとの通信は一般に、簡略のために図１に示していない移動交換センタ（ＭＳＣ：mobile switching center）を経由して達成される。ＢＳＣはまた、パケットネットワークと通信する。これは一般に、図１に示していないパケットデータサービングノード（ＰＤＳＮ）を経由して達成される。ＢＳＣ１０２は、基地局１０４のために調整及び制御を与える。ＢＳＣ１０２は更に、遠隔端末１０６間、遠隔端末１０６と、ＰＳＴＮと通信しているユーザとの間、及びパケットネットワークへの、基地局１０４を経由した電話呼び出しのルーティングを制御する。
【００２３】
図２は、本発明の様々な局面を実現することができる基地局１０４と遠隔端末１０６との実施例の簡略ブロック図である。特定の通信のために、音声データ、パケットデータ、及び／又はメッセージは、基地局１０４と遠隔端末１０６との間で交換される。例えば、基地局と遠隔局との間の通信セッションを確立するために使用されるメッセージや、データ送信を制御（例えば、電力制御、データレート情報、アクノレッジメント等）するために使用されるメッセージのような様々なタイプのメッセージが送信されうる。これらのメッセージタイプのうちのいくつかを以下に示す。特に、順方向リンクＡＣＫチャネルを用いた逆方向リンクデータアクノレッジメントの実施が詳細に記載されている。
【００２４】
逆方向リンクの場合、遠隔端末１０６において、（例えばデータソース２１０からの）音声及び／又はパケットデータと、（例えばコントローラ２３０からの）メッセージとが、送信（ＴＸ）データプロセッサ２１２に提供される。送信（ＴＸ）データプロセッサ２１２は、このデータ及びメッセージをフォーマットし、一つ又は複数の符号化スキームを用いて符号化して、符号化データを生成する。
【００２５】
各符号化スキームは、巡回冗長検査（ＣＲＣ）、畳み込み、ターボ、ブロック、及びその他の符号化の任意の組み合わせ、又は全く符号化しないことを含む。一般に、音声データ、パケットデータ、およびメッセージは、異なるスキームを用いて符号化され、異なるタイプのメッセージもまた、別々に符号化される。
【００２６】
符号化されたデータは、その後、変調器（ＭＯＤ）２１４に与えられ、更に処理（例えば、カバー、短ＰＮシーケンスを用いた拡散、ユーザ端末に割り当てられた長ＰＮシーケンスを用いたスクランブル）される。この変調されたデータは、その後、送信機ユニット（ＴＭＴＲ）２１６に与えられ、処理（例えば、一つ又は複数のアナログ信号への変換、増幅、フィルタ、及び直交変調）され、逆方向リンク信号が生成される。この逆方向リンク信号は、デュプレクサ（Ｄ）２１８を通ってルーティングされ、アンテナ２２０を経由して基地局１０４へ送信される。
【００２７】
基地局１０４では、この逆方向リンク信号がアンテナ２５０によって受信され、デュプレクサ２５２を通ってルーティングされ、受信機ユニット（ＲＣＶＲ）２５４に与えられる。受信機ユニット２５４は、この受信した信号を処理（例えば、フィルタ、増幅、ダウンコンバート、及びデジタル化）し、サンプルを与える。復調器（ＤＥＭＯＤ）２５６は、このサンプルを受信して処理（例えば、逆拡散、デカバ、及びパイロット復調）し、復元されたシンボルを与える。復調器２５６は、レーキ受信機を実装しうる。レーキ受信機は、この受信信号の複数のインスタンスを処理し、結合シンボルを生成する。その後、このシンボルを受信（ＲＸ）データプロセッサ２５８がデコードし、逆方向リンクで送信されたデータ及びメッセージを復元する。この復元された音声／パケットデータは、データシンク２６０に提供され、復元されたメッセージは、コントローラ２７０へ与えられる。復調器２５６とＲＸデータプロセッサ２５８による処理は、遠隔端末１０６において実行されたものと相補的である。復調器２５６とＲＸデータプロセッサ２５８とは更に例えば、逆方向基本チャネル（Ｒ−ＦＣＨ：reverse fundamental channel）及び逆方向補足チャネル（Ｒ−ＳＣＨ：reverse supplemental channel）のような複数のチャネルを経由して受信した複数の送信を処理するように動作する。また、それぞれが逆方向基本チャネル、逆方向補足チャネル、又はその両方で送信されている複数の遠隔端末からの送信は、同時に受信されるかもしれない。
【００２８】
順方向リンクでは、基地局１０４において、（例えばデータソース２６２からの）音声及び／又はパケットデータと、（例えばコントローラ２７０からの）メッセージとが送信（ＴＸ）データプロセッサ２６４によって処理（例えば、フォーマット及び符号化）され、更に、変調器（ＭＯＤ）２６６によって処理（例えば、カバー及び拡散）され、送信機ユニット（ＴＭＴＲ）２６８によって処理（例えば、アナログ信号への変換、増幅、フィルタ、及び直交変調）され、順方向リンク信号が生成される。順方向リンク信号はデュプレクサ２５２を通じてルーティングされ、アンテナ２５０を経由して遠隔端末１０６へ送信される。
【００２９】
もしも順方向リンクにおけるコントローラ２７０からのメッセージが電力制御コマンドを含んでいれば、コントローラ２７０は、逆方向パイロットチャネルのエネルギーレベルに対する逆方向トラフィックチャネル（例えばＲ−ＳＣＨ）のエネルギーレベルを測定することによってトラフィック対パイロット比（Ｔ／Ｐ）を計算する電力コントローラとして動作するであろう。この測定されたＴ／Ｐ値は、基地局によってＲ−ＳＣＨフレームの正しいデコードを可能にするのに十分な合計Ｔ／Ｐ値と比較され、Ｔ／Ｐ差分値が生成される。これは、最初の送信におけるエネルギー不足分を補償するために、遠隔端末が、再送信において適切なエネルギー量を伝送できるように遠隔端末に送信される。
【００３０】
遠隔端末１０６では、順方向リンク信号がアンテナ２２０によって受信され、デュプレクサ２１８を通じてルーティングされ、受信機ユニット２２２に与えられる。受信機ユニット２２２は、この受信した信号を処理（例えば、ダウンコンバート、フィルタ、増幅、直交復調、及びデジタル化）して、サンプルを与える。このサンプルは復調器２２４によって処理（例えば、逆拡散、デカバ、及びパイロット復調）され、シンボルが与えられる。そして、このシンボルは更に受信データプロセッサ２２６によって処理（例えば、デコード、及び検査）され、順方向リンクで送信されたデータ及びメッセージが復元される。この復元されたデータは、データシンク２２８に与えられ、復元されたメッセージはコントローラ２３０に与えられる。
【００３１】
逆方向リンクは、順方向リンクのものととても異なる幾つかの特徴を持っている。特に、データ送信特徴、ソフトハンドオフ挙動、及び減衰現象は、一般に、順方向リンクと逆方向リンクとの間では非常に異なる。例えば、基地局は一般に、どの遠隔端末が送信すべきパケットデータを持っているのか、又はどのくらいの量のデータを送信すべきなのかの推測を知らない。従って、基地局は、要求された時及び利用可能な場合にはいつでもリソースを遠隔端末に割り当てる。ユーザ要求の不確定性のため、逆方向リンク上の利用は、広く変動するかもしれない。
【００３２】
本発明の典型的な実施例にしたがって逆方向リンクリソースを効率的に割り当て、利用し、制御するための装置及び方法が提供される。逆方向リンクリソースは、パケットデータ送信のために使用される補足チャネル（例えばＲ−ＳＣＨ）を経由して割り当てられる。特に、信頼できるアクノレッジメントスキームと効率的な再送信スキームとが提供される。効率的な再送信はまた、遠隔端末が、最初の送信におけるエネルギー不足分を補償するために、再送信における適切なエネルギー量を伝送できるようにする修正電力制御を含む。
【００３３】
信頼できるアクノレッジメントスキームと効率的な再送信スキームとは、基地局と遠隔端末との間の通信を制御する幾つかの要因を考慮すべきである。考慮すべき要因のうちの一つは、遠隔端末への最小の経路喪失を伴った基地局（例えば、遠隔端末に最も近い基地局）よりも約数ｄＢ大きいが、遠隔端末のアクティブセット内にある経路喪失を基地局が伴うという事実を含み、逆方向補足チャネル（Ｒ−ＳＣＨ）フレームを正しく受信するチャンスは相対的に小さい。
【００３４】
ソフトハンドオフが動作し、遠隔端末全体が少ない電力を送信するために、遠隔端末は、これら喪失されたあるいは悪いＲ−ＳＣＨフレームのための表示を受信する必要がある。遠隔端末は、肯定的なアクノレッジメントよりも、有意により否定的なアクノレッジメントを受信しようとするので、基地局（ＢＳ）は遠隔端末（ＲＴ）に、良いフレームについてはアクノレッジメント（ＡＣＫ）を、悪いフレームについては受信した悪いＲ−ＳＣＨフレームが十分なエネルギーを持っているときにのみ否定的なアクノレッジメント（ＮＡＫ）を送ることができるように、典型的なアクノレッジメントスキームが設定される（図３参照）。これによって、もしも悪いフレームのエネルギーが、Ｒ−ＳＣＨフレームの再送信からのエネルギーと結合された場合には、この結合されたエネルギーは、基地局が、フレームを正しくデコードするのに十分となる。基地局は、基地局によるフレームの正しいデコードを可能にするのに十分ではないエネルギーを持つ悪いフレームに応答してＮＡＫ信号を生成することはない（再送信エネルギーと結合された場合であっても）。従って、もしも遠隔端末がＡＣＫ信号又はＮＡＫ信号を受信しないのであれば、遠隔端末は、基地局において受信した悪いフレームが、結合された場合であってもフレームの正しいデコードを可能にするほど十分なエネルギーを持っていなかったと仮定するであろう。この場合、遠隔端末は、正しいデコードを可能にするほど十分なデフォルト送信レベルを持つフレームを再送信する必要があるであろう。一つの実施例では、このデフォルト送信レベルは、基地局による正しいデコードが可能になるように予め定められる。別の実施例では、このデフォルト送信レベルは、無線ＣＤＭＡシステムの送信条件に従って動的に決定される。
【００３５】
図３は、図２のデバイスについて上述したアクノレッジメントスキームに従った典型的な順方向リンクＡＣＫチャネルの動作を示している。ここで示される実施例では、遠隔端末が、Ｒ−ＳＣＨフレームを基地局に送る。基地局は、Ｒ−ＳＣＨフレームを受信し、もしも受信したＲ−ＳＣＨフレームが「良い」フレームであると認識された場合にはＡＣＫ信号を送る。
【００３６】
一つの実施例では、受信したＲ−ＳＣＨフレームの品質の認識（すなわち「良い」か「悪い」か）は、逆方向リンクパイロット信号を観察することによって、あるいは遠隔局から送られた電力制御ビットに基づいても同様になされる。従って、もしも逆方向リンクパイロット信号が、基地局がフレームを正しくデコードできるのに十分なエネルギーを含んでいるのであれば、このフレームは「良い」と考えられる。一方、もしも逆方向リンクパイロット信号が、基地局がフレームを正しくデコードできるのに十分ではないエネルギーを持っているのであれば、このフレームは「悪い」と考えられる。
【００３７】
もしも、受信したＲ−ＳＣＨフレームが、「悪い」フレームと認識されたものの、再送信と結合するのに十分なエネルギーを持っているのであれば、基地局の典型的な順方向リンクＡＣＫチャネルは、トラフィック対パイロット比（Ｔ／Ｐ）差分とともにＮＡＫ信号を送る。この条件は、受信した悪いＲ−ＳＣＨフレームが、十分なエネルギーを持っている場合に引き起こる。これによって、もしもＲ−ＳＣＨフレームの再送信からのエネルギーと結合された場合、基地局によるフレームの正しいデコードを可能とするのに十分となる。上述したように、トラフィック対パイロット比（Ｔ／Ｐ）は、逆方向トラフィックチャネル（例えばＲ−ＳＣＨ）のエネルギーレベルと、逆方向パイロットチャネルのエネルギーレベルとの比を測定することによって計算することができる。従って、本実施例では、この比は、Ｒ−ＳＣＨの電力制御のために使用され、基地局によるＲ−ＳＣＨフレームの正しいデコードを可能にするのに十分な合計エネルギーレベルと比較される。最初の送信のＴ／Ｐ値と、Ｒ−ＳＣＨフレームの正しいデコードを可能にするのに十分な合計エネルギーレベルとの差は、Ｔ／Ｐ差分と称されるパラメータを与える。一般に、合計エネルギーレベルは、あるサービス品質（ＱｏＳ）を維持するために必要なエネルギーレベルである。これは、ＱｏＳに関するスピード、チャネル条件、及びその他のパラメータに依存する。
【００３８】
一つの実施例では、所定の目標ＱｏＳ（例えば、目標フレーム誤り率（ＦＥＲ：frame error rate）について、トラフィック対パイロット比（Ｔ／Ｐ）は、遠隔端末の速度によって変化する。所定のＦＥＲに対して要求されるパイロットエネルギーレベルに対するＴ／Ｐは、３つの異なる可能な遠隔端末速度（高速（例えば時速１２０ｋｍ）、低速（例えば時速３０ｋｍ）、及び静止（例えば、時速０ｋｍにおける加法ホワイトガウシアンノイズ（ＡＷＧＮ：additive white Gaussian noise））について計算され、平均される。結果として得られる平均値は、例えば"3GPP2 Physical Layer Standard for cdma2000 Spread Spectrum Systems," Document No.C.P0002-A, TIA/EIA IS-2000-2-A, １９９９年１１月１９日（非特許文献１）に示されるようなゲインテーブルに格納される。
【００３９】
例えば、時速１２０ｋｍ（すなわち、高速度かつ高速減衰）で移動している遠隔端末に必要とされる合計エネルギーレベルに対するＴ／Ｐ比を推定するために、ゲインテーブル内のＴ／Ｐ値が、ＡＷＧＮ（すなわち、減衰なし）のＴ／Ｐ値と比較される。この差は約２ｄＢとなりうる。従って、この値は、Ｔ／Ｐ差分の上記計算において、基地局によるＲ−ＳＣＨフレームの正しいデコードを可能にするのに十分な合計エネルギーレベルの推定値として使用される。合計エネルギーレベルに対するＴ／Ｐ比は、推定された値が、混雑制御のためのＲＯＴ要求に一致する限りにおいては、異なるＱｏＳパラメータを用いて別々に推定することが可能である。
【００４０】
従って、Ｔ／Ｐ差分は、差分エネルギー値を与える。この差分エネルギー値は、最初の送信におけるエネルギー不足分を補償し、基地局が、逆方向リンク上のＲ−ＳＣＨフレームを正しくデコードできるようにするために、再送信している遠隔端末によって伝送されねばならない。この計算されたＴ／Ｐ差分は、アクノレッジメント信号とともに、順方向ＡＣＫチャネルによって遠隔端末へ送信することができる。遠隔端末のアクティブセット内に２つ又はそれ以上の基地局が存在し、両基地局ともに、悪いＲ−ＳＣＨチャネルに応答して異なるＴ／Ｐ差分とともにＮＡＫ信号を送る場合には、遠隔端末が、低いＴ／Ｐ差分を持つ方、すなわち、パケットを正しくデコードするのに十分なエネルギーを持つ少なくとも１つの基地局を選択する。
【００４１】
混雑電力制御のためのＴ／Ｐを制御するために遠隔端末に送られたＴ／Ｐ差分ビット内のエラーは、望んでいるものとは異なるＴ／Ｐ値をもたらすかもしれない。しかしながら、基地局は、一般に、逆方向電力制御又はチャネル推定値のために、逆方向パイロットチャネルのレベルを監視する。基地局はまた、受信したＲ−ＳＣＨフレームのエネルギーレベルを監視することができる。逆方向パイロットチャネルエネルギーレベルに対するＲ−ＳＣＨエネルギーレベルの比をとることによって、基地局は、遠隔局によって使用されているＴ／Ｐを推定することができる。もしもこのＴ／Ｐが望まれるものではないのであれば、基地局は、Ｔ／Ｐを制御するビットを設定して、矛盾を修正する。従って、Ｔ／Ｐ差分におけるビット誤りに対する自己修正がある。
【００４２】
再送信エネルギーと結合された受信した悪いＲ−ＳＣＨフレームが、基地局による正しいデコードを可能にするのに十分ではないエネルギーを持っている場合には、基地局はＮＡＫ信号（すなわち、ヌルデータ）を送らない。遠隔端末は、この「ヌル」条件を、基地局から遠隔端末への信号と認識し、正しいデコードを可能とするのに十分なデフォルト送信レベルでＲ−ＳＣＨフレームを再送信する。
【００４３】
図３に示すアクノレッジメントスキームは、もしも遠隔端末が、遠隔端末に対してどの基地局が最も小さい経路喪失を持っているか（すなわち、最良の基地局であるか）を検出又は決定できるのであれば更に最適化することができる。１つの実施例では、基地局が、（閉ループ電力制御内でなされた）電力制御目標に対して実際に受信したフレームのエネルギー不足分を測定し、遠隔端末に対してどの基地局が最も小さい経路損失を持っているのかを判定することができる。多くのフレームに対するエネルギー損失分を平均化することによって、基地局は、それが最良の基地局であるか否かを判定することができる。この情報は遠隔端末に送信することができる。別の実施例では、もしも遠隔端末が、１×Ｅｖ−ＤＶシステムのデータ／音声（ＤＶ）モードにおいて動作しているのであれば、最良の基地局が、容易に判定される。このモードでは、基地局と遠隔局との両方が、どの基地局が最良の基地局であるかを知らねばならない。
【００４４】
図４は、どの基地局が最良の基地局であるかを遠隔端末が認識するという仮定に従って動作している典型的な順方向リンクＡＣＫチャネルを示している。よって、ここで説明する実施例では、遠隔端末が、最良の基地局及び二次的な基地局にＲ−ＳＣＨフレームを送る。最良の基地局は一般に「悪い」フレームよりも多くの「良い」フレームを受信するであろうから、最良の基地局からのアクノレッジメントフレームは、「良い」フレームのためにＡＣＫ信号を送ることよりも、「悪い」フレームのためにＮＡＫ信号を送ることに対して偏っている。二次的な基地局は、より偏りが少なくなる。なぜなら、この基地局は、「良い」フレームよりもより多くの「悪い」フレームを受けるからである。従って、二次的な基地局からのアクノレッジメントスキームは、「良い」フレームのためにＡＣＫ信号を送ることに偏るが、「悪い」フレームのためにＮＡＫ信号を送ることには偏らない。
【００４５】
従って、遠隔端末からのＲ−ＳＣＨフレームの受信に応答して、最良の基地局の典型的な順方向リンクＡＣＫチャネルは、もしも受信したＲ−ＳＣＨフレームが「良い」フレームであると認識されれば、ＡＣＫ信号（すなわち、ヌルデータ）を送らない。遠隔端末は、この「ヌル」条件を、送信されたＲ−ＳＣＨフレームが、正しいデコードを可能にするのに十分なエネルギーとともに受信され、フレームの再送信の必要が無い最良の基地局からの信号と認識する。もしも受信したＲ−ＳＣＨフレームが「悪い」フレームであるが、再送信と結合するために十分なエネルギーを持っていると判定されたのであれば、最良の基地局は、Ｔ／Ｐ差分とともにＮＡＫ信号を送る。この条件は、受信した悪いＲ−ＳＣＨフレームが十分なエネルギーを持っている場合に引き起こる。これによって、もしもＲ−ＳＣＨフレームの再送信からのエネルギーと結合されたのであれば、最良の基地局によるフレームの正しいデコードを可能とするのに十分となろう。もしも再送信エネルギーと結合された受信した悪いＲ−ＳＣＨフレームが、最良の基地局によるフレームの正しいデコードを可能とするのに十分ではないエネルギーを持っているのであれば、最良の基地局は、Ｔ／Ｐ差分のないＮＡＫ信号を送る。従って、遠隔端末は、正しいデコードを可能とするのに十分なデフォルト送信レベルを持つＲ−ＳＣＨフレームを再送信する。
【００４６】
二次的な基地局の典型的な順方向リンクＡＣＫチャネルは、遠隔端末からの受信したＲ−ＳＣＨフレームが「良い」フレームであると認識されたのであれば、Ｒ−ＳＣＨフレームの受信に応答してＡＣＫ信号を送る。もしも受信したＲ−ＳＣＨフレームが「悪い」フレームであると認識されたが、再送信と結合するのに十分なエネルギーを持っているのであれば、二次的な基地局は、Ｔ／Ｐ差分とともにＮＡＫ信号を送る。この条件は、受信した悪いＲ−ＳＣＨフレームが十分なエネルギーを持っている場合に引き起こる。これによって、もしもＲ−ＳＣＨフレームの再送信からのエネルギーと結合された場合には、二次的な基地局によるフレームの正しいデコードを可能とするのに十分となる。最良の基地局と対比してみると、再送信エネルギーと結合された受信した悪いＲ−ＳＣＨフレームが、基地局によるフレームの正しいデコードを可能にするのに十分ではないエネルギーを持っている場合、二次的な基地局は、ＮＡＫ信号（すなわち、ヌルデータ）を送らない。遠隔端末は、この「ヌル」条件を、二次的な基地局から遠隔端末への信号と認識し、正しいデコードを可能にするのに十分なデフォルト送信レベルでＲ−ＳＣＨフレームを再送信する。
【００４７】
（図３又は図４に示す）アクノレッジメントスキームと連携して動作する上述した修正電力制御を実施するための典型的な方法が、図５に示すフローチャートで説明される。第一の動作では、ボックス５００において、逆方向トラフィックチャネルの第一のエネルギーレベルが測定される。一つの実施例では、このエネルギーレベルは、Ｒ−ＳＣＨ上で測定されたエネルギーレベルである。ボックス５０２では、第二のエネルギーレベルが、逆方向パイロットチャネル上で測定される。その後、ボックス５０４では、第一のエネルギーレベルと第二のエネルギーレベルとの間の比（Ｔ／Ｐ）が計算される。ボックス５０６では、Ｒ−ＳＣＨフレームの正しいデコードを可能にするのに十分な合計エネルギーレベルが推定される。ボックス５０８では、合計エネルギーレベルとＴ／Ｐとの間の差分をとることによって、Ｔ／Ｐ差分が計算される。最後に、ボックス５１０では、このＴ／Ｐ差分が、順方向ＡＣＫチャネル上で適切に送信され、最初の送信のエネルギー不足分を補うために、遠隔端末は、再送信における適切なエネルギー量を伝送することができるようになる。Ｔ／Ｐ差分が順方向ＡＣＫチャネル上で送信されることが可能な条件は、図３又は図４のアクノレッジメントスキームに対して記述された手順に従って特定される。
【００４８】
上述したように、修正された電力制御スキームは、逆方向リンクの利用を改良することができ、また、低い送信電力でもデータフレームが送信されるようにすることができる。例えば、再送信しないのであれば、データフレームは、１％フレーム誤り率（１％ＦＥＲ）を達成するのに必要な高い電力レベル（Ｐ１）において送信される必要がある。もしも再送信が使用され、信頼できるのであれば、データフレームは、１０％ＦＥＲを達成するために必要な低い電力レベル（Ｐ２）で送信されるであろう。１０％の消去されたフレームは、送信全体の１％のＦＥＲ（すなわち、１０％×１０％＝１％）を達成するために再送信されるであろう。更に、再送信は、時間ダイバーシティを与える。これは、性能を改善する。再送信されたフレームはまた、基地局において、フレームの最初の送信と結合され、この２つの送信による結合電力もまた性能を改善する。この再結合は、消去されたフレームが、低いエネルギーレベルで再送信されることを可能にする。
【００４９】
当該技術分野における熟練者であれば方法ステップは、本発明の範囲から逸脱することなく相互交換可能であることを理解するであろう。
【００５０】
当技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００５１】
これら熟練者であれば、更に、ここで開示された実施例に関連して記載された技術の様々な説明的論理ブロック、モジュール、回路、およびステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００５２】
ここで開示された実施例に関連して記述された様々の説明的論理ブロック、及びモジュールは、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００５３】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００５４】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
【図面の簡単な説明】
【００５５】
【図１】図１は、多くのユーザをサポートし、本発明の様々な局面を実現することができる典型的な無線通信システムの図である。
【図２】図２は、図１の通信システムの基地局及び遠隔端末の実施例の簡略ブロック図である。
【図３】図３は、ここで議論されるアクノレッジメントスキームにしたがった典型的な順方向リンクＡＣＫチャネルを示す。
【図４】図４は、どの基地局が最良の基地局であるかを遠隔端末が認識するという仮定に従って動作する典型的な順方向リンクACKチャネルを示す。
【図５】図５は、例えば図３又は図４のアクノレッジメントスキームと連携して動作する修正電力制御技術を実現するための典型的方法を示すフローチャートである。
【図１】
2006517761.tif 000003
【図２】
2006517761.tif 000004
【図３】
2006517761.tif 000005
【図４】
2006517761.tif 000006
【図５】
2006517761.tif 000007
【国際調査報告】
2006517761.tif 000008
2006517761.tif 000009
2006517761.tif 000010